(57)【要約】【課題】読み上げる画面を明示的に表示できる電子機器およびその音声読み上げ制御方法を提供する。【解決手段】文字列を表示可能な表示部１６，１５と、表示部に表示すべき表示画面ごとに、音声合成可能な文字列または説明文を含むかどうかの画面情報を記憶するメモリ１２と、表示部に表示される文字列、またはこの文字列に関連付けて予め記憶される説明文との少なくともいずれかを音声合成して出力する音声合成処理部１７と、表示部の表示項目が切り替わるごとに、画面情報を参照し、現在の表示画面が音声合成により読み上げることができる文字列または説明文を含むか否かを判断し、含む場合には上記表示部に読み上げ可能を示す読み上げ可能ピクトの表示を明示的に行い、含まない場合には、読み上げ可能ピクトの表示を行わない制御部２０とを有する。【選択図】      図１
2006128906.tif 000002
【特許請求の範囲】
【請求項１】
文字列を表示可能な表示部と、
上記表示部に表示すべき表示画面ごとに、音声合成可能な文字列または説明文を含むかどうかの画面情報を記憶する記憶部と、
上記表示部に表示される文字列、または当該文字列に関連付けて予め記憶される説明文の少なくともいずれかを音声合成して出力する音声合成部と、
上記表示部の表示画面が切り替わるごとに、上記画面情報を参照し、現在の表示画面が音声合成により読み上げることができる文字列または説明文を含むか否かを判断し、含む場合には上記表示部に読み上げ可能を示す表示を行う制御部と
を有することを特徴とする電子機器。
【請求項２】
上記画面情報は、表示画面ごとに、当該表示画面と共に表示することにより、操作キーまたはキーに割り当てられた機能の表示を行う表示関連情報を含み、
上記制御部は、上記表示部の表示画面が切り替わるごとに、上記画面情報を参照し、音声合成の可否と共に上記表示関連情報の表示を行うか否かを判断する
ことを特徴とする請求項１に記載の電子機器。
【請求項３】
上記記憶部は、上記画面情報を、表示ジャンルごとに複数有する
ことを特徴とする請求項２に記載の電子機器。
【請求項４】
上記記憶部は、上記表示ジャンルとして、少なくともメール画面用、メニュー画面用、待ち受け画面用、Web画面用、着信画面用、アドレス帳画面用の２以上を管理するように設定されている
ことを特徴とする請求項３に記載の電子機器。
【請求項５】
上記音声合成部は、音声合成可能な文字列を含む表示画面に遷移したときに自動で読み上げる自動読み上げ設定と、音声合成実行要求がなされて読み上げる手動読み上げ設定とが選択可能であって、
上記制御部は、上記手動読み上げが選択されている場合に、上記表示部の現在の表示画面が音声合成により読み上げることができる文字列または説明文を含むか否かを判断する
ことを特徴とする請求項１乃至４のうちのいずれか一に記載の電子機器。
【請求項６】
表示部に表示される文字列、または当該文字列に関連付けて予め記憶される説明文の少なくともいずれかを音声合成して出力する電子機器の音声読み上げ制御方法であって、
上記表示部に表示すべき表示画面ごとに、音声合成可能な文字列または説明文を含むかどうかの画面情報を記憶し、
上記表示部の表示項目が切り替わるごとに、上記画面情報を参照し、現在の表示画面が音声合成により読み上げることができる文字列または説明文を含むか否かを判断し、含む場合には上記表示部に読み上げ可能を示す表示を行う
ことを特徴とする電子機器の音声読み上げ制御方法。
【発明の詳細な説明】
【技術分野】
【０００１】
本発明は、携帯電話機等の表示機器と音声読み上げ機能を備えた電子機器およびその音声読み上げ制御方法に関するものである。
【背景技術】
【０００２】
近年、携帯端末装置等の電子機器としてキー操作に対応して、このキー操作により設定された機能名等をアナウンスするようにした携帯電話機が提案されている（たとえば特許文献１参照）。
この携帯電話機は、複数のキー操作部と、キー操作部の１あるいは複数のキー操作に従い電話機が備えた複数の機能のうち、キー操作に対応する機能に関して設定を行う制御部と、キー操作に連動して設定される機能名を音声出力する音声合成部とを有する。
【０００３】
このように、液晶表示機器などの目視できる機器を備え、また、音声読み上げ機能を備えた携帯電話機等の電子機器では、ユーザやキーの押下や画面遷移などの操作に合わせたタイミング（トリガ）で、その画面に表示されている機能の説明や内容の読み上げを行うことができる。また、キーの押下ではなく、音声認識やタッチセンサなど、ユーザからの手段によりソフトウェアに割り込み処理を入れることで、読み上げを行うことができるものも提案されている。
【特許文献１】特開平１１−２５２２１６号公報
【発明の開示】
【発明が解決しようとする課題】
【０００４】
ところで、端末としての仕様や、実装上の問題より、音声読み上げを行う場所（行える場所）、行わない場所（行えない場所）が存在する場合があり、そのような場合にユーザとしては、試しとして「読み上げ用キー」を押下したり、取り扱い説明書を読んだり、あるいは使い慣れることにより、その仕様を覚えていく（受諾していく）といった形をとるしかなかった。
【０００５】
すなわち、従来は、それぞれの機能ごとに音声合成して機能説明を行うべき事項は決まっており、これを自動的に読むことが常であった。
この場合、ユーザが「読ませたい」と思った段階で読み上げキーを押下すると、そこで初めて読み上げが実行される。
ここで、読み上げにトライしたときに、読めるものは読むが、読めないものは無反応で、との結果になるだけであった。
すなわち、従来の電子機器では、読み上げる画面を明示的に表示できる機能を有していないことから、読める場合は良いが、読めなかった場合には、ユーザが「故障か？」という勘違いをしてしまうおそれがあった。
【０００６】
本発明の目的は、読み上げる画面を明示的に表示できる電子機器を提供することにある。
【課題を解決するための手段】
【０００７】
上記目的を達成するため、本発明の第１の観点の電子機器は、本発明の第１の観点の電子機器は、文字列を表示可能な表示部と、上記表示部に表示すべき表示画面ごとに、音声合成可能な文字列または説明文を含むかどうかの画面情報を記憶する記憶部と、記表示部に表示される文字列、または当該文字列に関連付けて予め記憶される説明文の少なくともいずれかを音声合成して出力する音声合成部と、上記表示部の表示画面が切り替わるごとに、上記画面情報を参照し、現在の表示画面が音声合成により読み上げることができる文字列または説明文を含むか否かを判断し、含む場合には上記表示部に読み上げ可能を示す表示を行う制御部とを有する。
【０００８】
好適には、上記画面情報は、表示画面ごとに、当該表示画面と共に表示することにより、操作キーまたはキーに割り当てられた機能の表示を行う表示関連情報を含み、上記制御部は、上記表示部の表示画面が切り替わるごとに、上記画面情報を参照し、音声合成の可否と共に上記表示関連情報の表示を行うか否かを判断する。
【０００９】
好適には、上記記憶部は、上記画面情報を、表示ジャンルごとに複数有する。
【００１０】
好適には、上記記憶部は、上記表示ジャンルとして、少なくともメール画面用、メニュー画面用、待ち受け画面用、Web画面用、着信画面用、アドレス帳画面用の２以上を管理するように設定されている。
【００１１】
好適には、上記音声合成部は、音声合成可能な文字列を含む表示画面に遷移したときに自動で読み上げる自動読み上げ設定と、音声合成実行要求がなされて読み上げる手動読み上げ設定とが選択可能であって、上記制御部は、上記手動読み上げが選択されている場合に、上記表示部の現在の表示画面が音声合成により読み上げることができる文字列または説明文を含むか否かを判断する。
【００１２】
本発明の第２の観点は、表示部に表示される文字列、または当該文字列に関連付けて予め記憶される説明文の少なくともいずれかを音声合成して出力する電子機器の音声読み上げ制御方法であって、上記表示部に表示すべき表示画面ごとに、音声合成可能な文字列または説明文を含むかどうかの画面情報を記憶し、上記表示部の表示項目が切り替わるごとに、上記画面情報を参照し、現在の表示画面が音声合成により読み上げることができる文字列または説明文を含むか否かを判断し、含む場合には上記表示部に読み上げ可能を示す表示を行う。
【発明の効果】
【００１３】
本発明によれば、読み上げる画面を明示的に表示できる。
【発明を実施するための最良の形態】
【００１４】
以下、本発明の実施形態を添付図面に関連付けて説明する。
【００１５】
図１は、本発明の電子機器としての携帯電話機１０のシステム構成の一例を図解したブロック図である。図２は、携帯電話機１の外観の一例を図解した図である。
携帯電話機１０は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示す。
【００１６】
本実施形態に係る携帯電話機１０は、通常の携帯電話機の機能に加えて、音声読み上げ機能を有し、かつ、音声合成可能な文字列または説明文を含む表示画面に遷移したときに自動で読み上げる自動読み上げ設定と、音声合成実行要求がなされて読み上げる手動読み上げ設定とが選択可能に構成されている。
携帯電話機１０は、表示部の表示項目が切り替わるごとに、現在の表示画面が音声合成により読み上げることができる文字列または説明文を含むか否かを判断し、含む場合には表示部に読み上げ可能を示す表示を明示的に行う機能を有する。
たとえば、「場面によって読み上げを行なうことができる、あるいは、できない」場合が存在する場合、携帯電話機１０は、表示部上の特定エリアなどに「読み上げ可能ピクト」を表示する、あるいは表示しないという表示／非表示制御を行い、その可、不可をユーザに明示的に伝えることが可能に構成される。
これにより、手動読み上げ設定の場合に、このピクトの状態により、キー押下などを行なって試す必要がなくなり、ユーザの煩わしさを軽減している。
携帯電話機１０は、手動読み上げが選択されている場合について、表示部の現在の表示画面が音声合成により読み上げることができる文字列または説明文を含むか否かを判断し、含む場合に表示部に読み上げ可能を示す表示を明示的に行う機能を有する。
携帯電話機１０は、表示部の表示画面が切り替わるごとに、音声合成の可否と共に、表示関連情報の表示を行うか否かを判断する機能を有する。
本実施形態の携帯電話機１０は、表示関連情報を、表示ジャンルごとに複数有するように構成されており、後述するように、表示ジャンルとして少なくともメール画面用、メニュー画面用、待ち受け画面用、Web画面用、着信画面用、アドレス帳画面用の２以上を管理するように設定される。
【００１７】
以下、本実施形態に係る携帯電話機１０の各部の構成、機能、並びに、音声読み上げ制御について順を追って説明する。
【００１８】
図１に示すように、携帯電話機１０は、送受信アンテナ１１１を含む通信処理部１１と、メモリ１２と、キー操作部１３と、ダイヤル入力部１４と、サブ表示部１５と、メイン表示部１６と、スピーカ１７１およびマイクロフォン１７２を含む音声合成処理部１７と、開閉スイッチ１８と、読み上げキー入力部１９と、制御部（ＣＰＵ）２０とを有している。
また、図２（ａ）に示すように、携帯電話機１０の本体ケース１００は、第１の筐体としてのキー入力側本体ケース１０１と、第２の筐体としての表示側本体ケース１０２とが、図示しない可動機構により連結されて、開閉状態を形成するように構成される。
【００１９】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部２０で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して制御部２０に出力する。
なお、送受信アンテナ１１１は、キー入力側本体ケース１０１または表示側本体ケース１０２に内蔵され、図２において外部に露出していない。
【００２０】
メモリ（記憶部）１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
メモリ１２は、後述する読み上げ機能に必要な文字列（テキスト列）およびテキスト列に関連付けられた説明文を含む音声読み上げデータベースを記憶する。このデータベースでは、読み上げのためのテキスト列について、前後の接続関係が文章として成立するように、体系的に整理されている。
メモリ１２は、携帯電話機１０の各種設定を行うメニューを項目ごとに多数記憶しており、これらの項目ごとに表示部に表示する「標準テキスト」と、その標準フォントサイズ拡大字にも表示部に表示が収まるように短縮名称を記憶した「短縮テキスト」と、そのメニューの内容を説明する「説明テキスト」とを記憶する。
さらに、メモリ１２は、表示部に表示する表示画面ごとに、音声合成可能な（読み上げ可能な）文字列または説明文(説明テキスト) 有するかどうかを記した画面基本情報を記憶する。この画面基本情報には、それぞれの表示画面と共に表示することにより、表示画面に応じて機能の変化するソフトキー用にあてがわれる操作キーの各機能、およびいずれが使用可能なキーか、といったことを示す表示関連情報も含んで構成される。
このような表示関連情報を含む画面基本情報は、メモリ１２内において、表示ジャンルとして、少なくともメール画面用、メニュー画面用、待ち受け画面用、Web画面用、着信画面用、アドレス帳画面用の２以上を管理するように設定されている。
なお、図６を用いて後述するメール用のメニュー画面の例においては、同じメニュー画面用の表示ジャンルの中でも表示遷移ごとにさらに細かく分かれている。
【００２１】
図３は、本実施形態のメモリにおける読み上げが可能かどうかを判定するための情報の記憶領域の一例を示す図である。
【００２２】
本実施形態においては、各表示画面ごとにIDを管理し、それぞれに関して読み上げを行なうかどうかを、図３に示すように、メモリ１２にテーブルTBLとして記憶しておく（データベースDBとして記憶しておくことも可能である）。
同一の表示ジャンル内においては、音声読み上げ可能な設定かどうかについてなどは画面基本情報に変化が生じないが、同一の表示ジャンル内でも表示画面が少しでも変化するとソフトキーの表示などは変化が生じてしまうため、画面基本情報を更新しなければならない。そこで、表示ジャンルのほかに、ＩＤとして、表示画面の一つ一つに付される。
そして、ユーザ操作により画面表示が遷移するごとに制御部２０は、次に表示する画面がどの表示ジャンルで、どのＩＤに該当する画面なのかを判定し、それを基にメモリ１２にアクセスして上述の画面基本情報を参照して本情報を取得して、その情報によって描画する。
【００２３】
図３は画面ＩＤ が「００１」の画面基本情報の例を示している。
図３の画面基本情報には、以下の情報が含まれる。
【００２４】
「音声読み上げを行う」:音声読み上げ可能な文字列または説明文を有する画面である場合（音声読み上げをする場合）には情報ビットが「１」にセットされ、音声読み上げ可能な文字列または説明文を有さない画面である場合（音声読み上げしない場合）には情報ビットが「０」にセットされる。図３の例では、音声読み上げ可能な画面であることを示すように、情報ビットが「１」にセットされている。
【００２５】
「ガイド行を表示するか」:ガイド行（図４の表示画面例の最下段）を表示する画面の場合には情報ビットが「１」にセットされ、ガイド行表示を表示しない画面の場合には情報ビットが「０」にセットされる。図３の例では、情報ビットが「１」にセットされており、ガイド行を表示する画面であることを示している。
【００２６】
「ガイド行の方向キー表示（上）」：ＩＤ［００１］の画面において、カーソルキーの上キーが有効である場合には情報ビットが「１」にセットされ、有効でない場合には情報ビットが「０」にセットされる。図３の例では、情報ビットが「１」にセットされており、カーソルキーの上キーが有効であることを示している。
【００２７】
「ガイド行の方向キー表示（下）」：ＩＤ「００１」の画面において、カーソルキーの下キーが有効である場合には情報ビットが「１」にセットされ、有効でない場合には情報ビットが「０」にセットされる。図３の例では、情報ビットが「１」にセットされており、カーソルキーの下キーが有効であることを示している。
【００２８】
「ガイド行の方向キー表示（左）」：ＩＤ「００１」の画面において、カーソルキーの左キーが有効である場合には情報ビットが「１」にセットされ、有効でない場合には情報ビットが「０」にセットされる。図３の例では、情報ビットが「０」にセットされており、カーソルキーの左キーが無効であることを示している。
【００２９】
「ガイド行の方向キー表示（右）」：ＩＤ「００１」の画面において、カーソルキーの右キーが有効である場合には情報ビットが「１」にセットされ、有効でない場合には情報ビットが「０」にセットされる。図３の例では、情報ビットが「０」にセットされており、カーソルキーの右キーが無効であることを示している。
【００３０】
「ソフトキー（左）」：ＩＤ［００１］の画面中の最下段ガイド行の左側に表示されるべきソフトキーの機能名を表示するものであって、左側に配されるソフトキーには“戻る”という機能が対応付けられており、この「戻る」という表示を行うべき旨が示されている。なお、ソフトキーが有効でない場合には、“ＮＵＬＬ”などと示しても良い。
【００３１】
「ソフトキー（中）」：ＩＤ［００１］の画面中の最下段ガイド行の中央に表示されるべきソフトキーの機能名を表示するものであって、真ん中に配されるソフトキーには“ＯＫという機能が対応付けられており、この「ＯＫ」という表示を行うべき旨が示されている。
【００３２】
「ソフトキー（右）」：ＩＤ「００１」の画面中の最下段ガイド行の右側に表示されるべきソフトキーの機能名を表示するものであって、右側に配されるソフトキーには“メニュー”という機能が対応付けられており、この「メニュー」という表示を行うべき旨が示されている。
【００３３】
図４は、図３の画面基本情報を参照した制御部により表示部に表示される画面を示す図である。図面の最下段にはガイド行として、ソフトキーの機能名と有効なカーソルキーの方向を示す矢印（図３の例に基づき、上下が有効として表示される）を表示する。さらに、音声読み上げ可能な文字列または説明文を有する画面であるため、画面最上段にはピクトＰＣＴを表示している。
【００３４】
キー操作部１３は、終了（終話）／電源キー、開始（発呼）キー、数字等に対応した複数のテンキー、前述したガイド行のそれぞれの機能表示領域近くに配置されるソフトキー等を有し、これらのキーがユーザにより操作されることにより、ユーザからの入力情報を制御部２０に出力する。
また、キー操作部１３の操作により、音声読み上げ可能な文字列または説明文を有する表示画面に遷移したときに、これらのテキストを自動で読み上げるか否かを設定することが複数の表示項目ごとに可能であって、これを制御テーブルとしてメモリ１２に記憶する。
【００３５】
ダイヤル入力部１４は、図２（ｃ）に示すように、ユーザが開状態の携帯電話機１０を保持した時にユーザの親指により操作がしやすくなるように、表示側本体ケース１０２の側面に配設されるダイヤル式の入力部であり、上下２方向の操作が可能に構成される。
ダイヤル入力部１４に対する操作により、ユーザは、音声の出力音量やサブ表示部１５およびメイン表示部１６に表示する文字サイズを変更することが可能となる。
また、図２（ｃ）および（ｄ）から明らかなように、閉状態と開状態のダイヤル入力部１４を比較すると、上下２方向の操作方向が物理的に逆転することになるが、本実施形態においては、ユーザにとって違和感が生じないように、ユーザから見た操作方向と操作に対する作用（たとえば、上述した音量変更や表示フォントサイズ（表示する文字サイズ）の変更）が常に一致するように、制御部２０により制御される。
【００３６】
サブ表示部１５は、液晶表示装置（ＬＣＤ）等の表示デバイスを有し、図２（ｃ）に示すように、閉状態においてユーザに視認される。
メイン表示部１６は、液晶表示装置（ＬＣＤ）等の表示デバイスを有し、図２（ａ）に示すように、開状態においてユーザに視認される。
サブ表示部１５およびメイン表示部１６は、それぞれ閉状態および開状態において、受信した電子メールのテキストやメモリ１２に格納された様々なテキストデータなどを表示する。
【００３７】
音声合成処理部１７は、音声処理回路を有し、通話機能のために音声出力を行うスピーカ１７１と音声入力を行うマイクロフォン１７２とが接続されている。
音声合成処理部１７は、マイクロフォン１７２により収音した音声に対して所定の処理を行って制御部２０に供給する。また、音声処理部１７は、制御部２０により供給された音声情報に対して所定の処理を行ってスピーカ１７１から出力させる。
また、図２（ａ），（ｂ）に示すように、スピーカ１７１は、受話スピーカ１７１ａおよびリンガスピーカ１７１ｂの２箇所の音声出力部を含み、読み上げ機能の処理結果である音声を出力する。
さらに、音声合成処理部１７は、音声合成回路を有し、読み上げを行う際に、制御部２０においてメモリ１２から読み出され抽出されたテキストデータまたは説明文を音声データに変換して、音声出力部である受話スピーカ１７１ａまたはリンガスピーカ１７１ｂにより音声合成して音声出力させる。
音声合成処理部１７は、メモリ１２にて制御テーブルとして記憶した情報に基づき、音声合成可能な文字列または説明文を有する表示画面に遷移したときに自動で読み上げる自動読み上げ設定と、音声合成実行要求がなされてから読み上げる手動読み上げ設定とが選択可能に構成されている。
たとえば制御部２０により上述の制御テーブルを参照することにより、読み上げ開始の理由として、読み上げ開始キー１９による読み上げ開始指示か端末内部の状態遷移に応じた自動読み上げかを判定し、音声合成処理部１７に通知される。
【００３８】
開閉スイッチ１８は、携帯電話機１０の開閉状態を検出するためのスイッチである。
開閉スイッチ１８の具体的な構成としては、様々な技術を適用することができるが、たとえば図２（ａ）に示すように、キー入力側本体ケース１０１および表示側本体ケース１０２のそれぞれに接点部を有し、閉状態（図２（ｂ））において両接点が電気的に非導通となることにより、オフ状態となるような構成にすることができる。
たとえば、携帯電話機１０が閉状態で開閉スイッチ１８はオン状態（ＯＮ状態）となり、開状態で開閉スイッチ１８はオフ状態（ＯＦＦ状態）となるように構成し、制御部２０が開閉スイッチの状態を検出することにより、携帯電話機１０の開閉状態を判別する。
【００３９】
読み上げキー操作部１９は、図２（ｂ）に示すように、表示側本体ケース１０２の中央に配設される押下式ボタン１９ａと、当該ボタンによるスイッチ入力に対する入力回路と、を含んで構成される。
本実施形態における携帯電話機１０は、読み上げ機能を有し、押下式ボタン１９ａが押下（操作）されると、たとえば閉状態にリンガスピーカ２１により音声出力し、開状態では受話スピーカ１７１より音声出力するように制御部２０により制御される。
後述する制御部２０は、携帯電話機１０の開閉状態を開閉スイッチ１８の出力により判別した後、読み上げのための音声出力先を音声合成処理部１７に通知する。
【００４０】
制御部２０は、マイクロコンピュータを主体として構成され、携帯電話機１の全体の制御を行う。たとえば、制御部２０は、通信処理部１１における各種情報の無線による送受信の制御、音声処理部１７に対する音声情報の処理、メイン表示部１６への情報の表示制御、キー入力部１３の入力情報に応じた処理、メモリ１２に対するアクセス制御等を行う。
【００４１】
制御部２０は、ユーザによる押下式ボタン１９ａの操作がなされると、表示されるテキストの読み上げ機能を実行する。その際、読み上げ機能として、読み上げ用の音声データを出力する方式ではなく、テキスト列を抽出／生成してそのテキストおよびその説明文を読み上げるテキスト読み上げ方式を用いている。
【００４２】
制御部２０は、表示部の表示項目が切り替わるごとに、メモリ１２の画面基本情報を参照し、現在の表示画面が音声合成により読み上げることができるテキスト列（文字列）または説明文を含むか否かを判断し、含む場合には表示部１５, １６に読み上げ可能を示す、図４に示したような、読み上げ可能ピクトPCTを表示処理させると共に、制御テーブルにて自動読み上げ設定になっているならば、音声合成処理部１７に音声合成処理および音声出力を実行させる。
制御部２０は、画面基本情報にて、現在の表示画面が音声合成により読み上げることができるテキスト列（文字列）または説明文を含まない場合には表示部１５, １６に読み上げ可能ピクトPCTを表示させず、音声合成処理部１７に音声合成処理および音声出力を実行させない。
【００４３】
さらに、制御部２０は、表示部の表示画面が切り替わるごとに、メモリ１２の画面基本情報を参照し、音声合成の可否と共に表示関連情報の表示を行うか否かを判断する。
また、制御部２０は、読み上げ可能ピクトＰＣＴの表示処理において、手動読み上げが選択されている場合について、表示部１５, １６に読み上げ可能ピクトＰＣＴを表示させ、自動読み上げが選択されている場合については読み上げ可能ピクトＰＣＴを表示させない。
【００４４】
さらに制御部２０は、読み上げ開始の理由として、読み上げキー操作部１９による読み上げ指示か、端末内部の状態遷移に応じた自動読み上げかを判定する。
この自動読み上げは、たとえば電池残量または電波状況の遷移に基づくものである。
この自動読み上げに際しては、制御部２０は、メモリ１２に記憶されている音声読み上げ機能の制御テーブルを参照する。
【００４５】
以上、携帯電話機１０の各構成要素について述べた。
次に、本実施形態に係る携帯電話機１０の音声読み上げ制御について、図５および図６に関連付けて説明する。ここでは、たとえば受信メールの一覧やメール設定画面が表示部１６位に表示されることを前提にして説明する。
【００４６】
図５は、本実施形態に係る読み上げ動作の基本的動作を説明するためのフローチャートである。
図６は、「Ｅメールアプリ」の画面から「受信メール」項目を選択して「受信メール一覧」画面を表示した場合と、「メール設定」項目を選択して「メール設定」画面を表示した場合の表示部１６における表示状態を示す図である。
なお、この例では、たとえば「受信メール一覧」画面では読み上げを行うが、「メール設定」画面では読み上げを行わないような設定がそれぞれ画面基本情報にてなされている場合を例として説明する。
【００４７】
ユーザが、図６に示すような「Ｅメールアプリ」の画面から「受信メール一覧」の画面または「メール設定」の画面に遷移させる（ＳＴ１）。
制御部２０は、画面遷移を認識すると、この遷移後の画面に関する表示項目が制御テーブル上で手動読み上げになっているか否かの判定を行う（ＳＴ２）。
ステップＳＴ２において、手動読み上げに設定されていると判定すると、制御部２０は、メモリ１２の画面基本情報を参照して、遷移後の画面が読み上げることができる画面であるか否かの判定を行う（ＳＴ３）。なお、ステップＳＴ２において、自動読み上げに設定、もしくは読み上げの機能自体がオフにされていると判定すると、制御部２０は、読み上げ可能ピクトＰＣＴの表示処理自体を行わない。
【００４８】
たとえば、遷移後の画面が「受信メール一覧」の画面であった場合、ステップＳＴ３において、メモリ１２の画面基本情報に基づいて、読み上げることができる画面であると判定される。
そして、制御部２０は、図６に示すように、読み上げ可能ピクトＰＣＴを、表示部１６の所定の領域（例では右上）に表示（点灯）させる（ＳＴ４）。  
制御部２０は、読み上げ開始のトリガ待ち、すなわちユーザにより読み上げ開始を手動で指示するキー押下などの操作を待つ（ＳＴ５）。ここで、制御部２０は、キー操作等の割り込みがあったか否かの判定を行う（ＳＴ６）。
そして、制御部２０は、ステップＳＴ６において、割り込みがあったものと判定すると、音声合成処理部１７による音声読み上げ処理を開始する（ＳＴ７）。
【００４９】
一方、「Ｅメールアプリ」画面からの遷移後の画面が「メール設定」画面であった場合、ステップＳＴ３において、メモリ１２の画面基本情報に基づいて、読み上げることができない画面であると判定される。
この場合、制御部２０は、図６に示すように、読み上げ可能ピクトＰＣＴを表示部１６に表示させない（ＳＴ８）。あるいは、読み上げ不可能である旨の表示を行う。
この場合、ユーザが読み上げ開始を手動で指示するキー操作を行ったとしても、制御部２０は、読み上げ開始のトリガ待ち、すなわちユーザにより読み上げ開始を手動で指示するキー押下等の操作を待つ（ＳＴ５）。ここで、制御部２０は、キー操作等の割り込みがあったか否かの判定を行う（ＳＴ６）。そして、制御部２０はこれを無効と判断して、音声読み上げ制御を開始しない。
【００５０】
以上説明したように、本実施形態によれば、文字列を表示可能な表示部１６，１５と、表示部に表示すべき表示画面ごとに、音声合成可能な文字列または説明文を含むかどうかの画面情報を記憶するメモリ１２と、表示部に表示される文字列、またはこの文字列に関連付けて予め記憶される説明文との少なくともいずれかを音声合成して出力する音声合成処理部１７と、表示部の表示項目が切り替わるごとに、画面情報を参照し、現在の表示画面が音声合成により読み上げることができる文字列または説明文を含むか否かを判断し、含む場合には上記表示部に読み上げ可能を示す読み上げ可能ピクトの表示を明示的に行い、含まない場合には、読み上げ可能ピクトの表示を行わない制御部２０とを有することから、以下の効果を得ることができる。
【００５１】
すなわち、手動読み上げ設定の場合に、このピクトの状態により、キー押下などを行なって試す必要がなくなり、ユーザの煩わしさを軽減することが可能となる。
これにより、読み上げが行われなかった場合にユーザが「故障」である等の勘違いしてしまうことがなくなり、使い勝手が向上するという利点がある。
また、手動読み上げの場合には、現在の表示が読み上げることのできるテキストを含むか否かを判定することから、自動読み上げの場合には、読めるものは全て読むという単純な動作であることから、ピクト表示不要、もしくは自動の場合はピクト表示を維持することが可能となり、これにより、判定を毎回行うといった不要な演算（処理）を行わなくて済むという利点がある。
【図面の簡単な説明】
【００５２】
【図１】携帯電話機のシステム構成の一例を図解したブロック図である。
【図２】携帯電話機の外観の一例を図解した図であり、（ａ）は開状態での正面の外観図を、（ｂ）は閉状態での背面の外観図を、（ｃ）は開状態での側面図を、（ｄ）は閉状態での側面図を、それぞれ示す。
【図３】本実施形態のメモリにおける読み上げが可能かどうかを判定するための情報の記憶領域の一例を示す図である。
【図４】本実施形態に係る重み付けテーブルの一例を示す図である。
【図５】本実施形態に係る読み上げ動作の基本的動作を説明するためのフローチャートである。
【図６】「Ｅメールアプリ」の画面から「受信メール」項目を選択して「受信メール一覧」画面を表示した場合と、「メール設定」項目を選択して「メール設定」画面を表示した場合の表示部１６における表示状態を示す図である。
【符号の説明】
【００５３】
１０…携帯電話機
１００…本体ケース
１０１…キー入力側本体ケース
１０２…表示側本体ケース
１１…通信処理部
１１１…送受信アンテナ
１２…メモリ
１３…キー操作部
１４…ダイヤル入力部
１５…サブ表示部
１６…メイン表示部
１７…音声合成処理部
１７１…スピーカ
１７２…マイクロフォン
１８…開閉スイッチ
１９…読み上げキー操作部
２０…制御部
【図１】
2006128906.tif 000003
【図２】
2006128906.tif 000004
【図３】
2006128906.tif 000005
【図４】
2006128906.tif 000006
【図５】
2006128906.tif 000007
【図６】
2006128906.tif 000008